(57)【要約】【課題】表示パネルと太陽電池パネルを重ねて配置した表示装置であって、表示内容の視認性が良好であり、且つ太陽電池の発電効率が高い太陽電池内蔵表示装置を提供することである。【解決手段】実施形態の一例である太陽電池内蔵表示装置１０は、電圧印加の有無により入射光を散乱させる散乱状態と入射光を透過させる透明状態とが切り替わる高分子分散型液晶層２０を含む表示パネル１１と、太陽電池３０を含む太陽電池パネル１２であって、表示パネル１１の背面側に重ねて配置され、表示パネル１１を透過した光を利用して発電し、表示パネル１１の駆動電源となる太陽電池パネル１２とを備える。【選択図】図４
2016142827.tif 000002
【特許請求の範囲】
【請求項１】
電圧印加の有無により入射光を散乱させる散乱状態と入射光を透過させる透明状態とが切り替わる高分子分散型液晶層を含む表示パネルと、
太陽電池を含む太陽電池パネルであって、前記表示パネルの背面側に重ねて配置され、前記表示パネルを透過した光を利用して発電し、前記表示パネルの駆動電源となる太陽電池パネルと、
を備えた太陽電池内蔵表示装置。
【請求項２】
前記太陽電池パネルは、前記表示パネルの背面全域を覆って配置される、請求項１に記載の太陽電池内蔵表示装置。
【請求項３】
前記太陽電池パネルで発電された電力を蓄電し、前記表示パネルに当該電力を供給するための二次電池を備える、請求項１又は２に記載の太陽電池内蔵表示装置。
【請求項４】
前記表示パネルに対してパネル側面から照明光を照射する光源を備える、請求項１〜３のいずれか１項に記載の太陽電池内蔵表示装置。
【請求項５】
前記太陽電池パネルは、
前記太陽電池の一方の面側に配置され、入射光を透過する透明な第１保護部材と、
前記太陽電池の他方の面側に配置され、可視光波長の全範囲に亘る光吸収率が５０％以上である第２保護部材と、
を有し、前記第１保護部材を前記表示パネル側に向けて配置される、請求項１〜４のいずれか１項に記載の太陽電池内蔵表示装置。
【請求項６】
前記太陽電池パネルは、
前記太陽電池の一方の面側に配置され、入射光を透過する透明な第１保護部材と、
前記太陽電池の他方の面側に配置され、入射光を透過する透明な第２保護部材と、
を有し、
前記太陽電池パネルの前記太陽電池に対して当該パネルの両面から外光が入射するように構成されている、請求項１〜４のいずれか１項に記載の太陽電池内蔵表示装置。
【発明の詳細な説明】
【技術分野】
【０００１】
本開示は、太陽電池内蔵表示装置に関する。
【背景技術】
【０００２】
表示パネルの駆動電源として太陽電池を備えた表示装置が知られている。かかる表示装置では、小型化、省スペース化の観点から、表示パネルと太陽電池を重ねて配置することが望まれている。例えば、太陽電池の背面側に表示パネルを重ねて配置する場合は、表示内容の視認性を向上させるために、太陽電池を薄くして可視光透過率を高くする、或いは可視光を透過するワイドギャップ（Ｅｇ＞３ｅＶ）の太陽電池を用いる必要がある。しかし、いずれの方法によっても太陽電池の発電効率が大きく低下する。ゆえに、太陽電池の背面側に表示パネルを配置した構造は、実用化するにあたって課題を抱えている。
【０００３】
他方、特許文献１では、表示パネルの背面側に太陽電池を重ねて配置した表示装置であって、表示パネルに照射される照明光を透過する光透過型の太陽電池を備えた表示装置が提案されている。しかし、この場合も表示内容の視認性を向上させるためには表示機能を備える領域を増やす必要があるから、太陽電池の可視光透過率が低くなり高い発電効率を得ることは難しい。
【先行技術文献】
【特許文献】
【０００４】
【特許文献１】特開２０１３−４７７００号公報
【発明の概要】
【発明が解決しようとする課題】
【０００５】
上述のように、小型化、省スペース化の観点から、表示パネルと太陽電池を重ねて配置した表示装置において、表示内容の視認性と太陽電池の発電効率を両立することは困難且つ重要な課題である。
【課題を解決するための手段】
【０００６】
本開示の一態様である太陽電池内蔵表示装置は、電圧印加の有無により入射光を散乱させる散乱状態と入射光を透過させる透明状態とが切り替わる高分子分散型液晶層を含む表示パネルと、太陽電池を含む太陽電池パネルであって、表示パネルの背面側に重ねて配置され、表示パネルを透過した光を利用して発電し、表示パネルの駆動電源となる太陽電池パネルとを備える。
【発明の効果】
【０００７】
本開示の一態様によれば、表示パネルと太陽電池パネルを重ねて配置した表示装置であって、表示内容の視認性が良好であり、且つ太陽電池の発電効率が高い太陽電池内蔵表示装置を提供することができる。
【図面の簡単な説明】
【０００８】
【図１】実施形態の一例である太陽電池内蔵表示装置を示す図である。
【図２】実施形態の一例である太陽電池内蔵表示装置の断面図である。
【図３】実施形態の一例である太陽電池内蔵表示装置の電気回路の構成図である。
【図４】図２に示す表示パネル及び太陽電池パネルの拡大図である。
【図５】実施形態の他の一例である太陽電池内蔵表示装置の断面図である。
【発明を実施するための形態】
【０００９】
本発明者らは、上記課題を解決すべく鋭意検討した結果、高分子分散型液晶層を含む表示パネルを太陽電池パネルの前面に配置するという従来にはない新規な構造を見出したのである。本開示の太陽電池内蔵表示装置は、表示パネルと太陽電池パネルを重ねて配置する場合において、表示パネルに表示される像の視認性と太陽電池の発電効率を両立する上で最適な構造を有する。本明細書において、表示パネル及び太陽電池パネルの前面とは、各パネルの外部から太陽光等の外光が入射する面を意味し、背面とは前面と反対側の面（実質的にパネル外部から外光が入射しない面）を意味する。太陽電池パネルの両面から外光が入射する場合はいずれも前面である（図５参照）。
【００１０】
本開示の太陽電池内蔵表示装置が採用する高分子分散型液晶層は、表示パネルに入射する太陽光等の外光を散乱させることで像を表示する所謂反射型液晶層であるから、昼間（屋外）においても像の視認性が良好で、且つ消費電力が少ない。また、外光の散乱により表示される像は、例えば白色であるが、その背面に存在する太陽電池が黒色系又は濃紺色系であるため、像と背景とのコントラストが大きく良好な視認性が得られる。
【００１１】
表示パネルの背面側に太陽電池を配置する場合は入射光の透過率が高い表示パネルを用いる必要があるが、高分子分散型液晶層を用いたパネルは偏光板等が不要であり、例えば８０％以上の可視光透過率（無表示状態）を得ることができる。したがって、太陽電池の良好な発電効率を確保することができる。
【００１２】
以下、図面を参照しながら、実施形態の一例について詳細に説明する。
本開示の太陽電池内蔵表示装置は、以下に説明する実施形態に限定されない。実施形態において参照する図面は、模式的に記載されたものであり、図面に描画された構成要素の寸法比率などは、現物と異なる場合がある。具体的な寸法比率等は、以下の説明を参酌して判断されるべきである。
【００１３】
実施形態として、歩道に埋め込まれた形態、及び窓ガラスに設置された形態を例示するが、太陽電池内蔵表示装置の用途はこれに限定されない。本開示の太陽電池内蔵表示装置は、道路標識、案内板、電子看板など種々の用途に適用することができる。
【００１４】
図１は、実施形態の一例である太陽電池内蔵表示装置１０を示す図である。
太陽電池内蔵表示装置１０は、歩道１００に埋め込まれており、歩行者等に対する案内表示（例えば、ＳＴＯＰ、ＷＡＬＫなどの文字）を出力する。太陽電池内蔵表示装置１０は、信号機と有線接続又は無線接続されており、信号機と連動して赤信号のときは「ＳＴＯＰ」の文字を表示し、青信号のときは「ＷＡＬＫ」の文字を表示する。但し、太陽電池内蔵表示装置１０に表示される像はこれに限定されない。太陽電池内蔵表示装置１０には、これら以外の文字、その他種々の記号、図形などを表示することができる。
【００１５】
太陽電池内蔵表示装置１０は、表示パネル１１と、表示パネル１１の背面側に重ねて配置された太陽電池パネル１２とを備える。表示パネル１１と太陽電池パネル１２を重ねて配置することにより、装置の小型化、省スペース化を図ることができる。表示パネル１１は、電圧印加の有無により入射光を散乱させる散乱状態と入射光を透過させる透明状態とが切り替わる高分子分散型液晶層２０（図４参照）を有する。表示パネル１１は、昼間は太陽光を利用して像を表示し、夜間は後述する光源１５の照明光を利用して像を表示する。太陽電池パネル１２は、表示パネル１１を透過した太陽光を利用して発電し、表示パネル１１の駆動電源となる。表示パネル１１及び太陽電池パネル１２の詳細については後述する。
【００１６】
図２は、太陽電池内蔵表示装置１０の断面図である。
太陽電池内蔵表示装置１０は、表示パネル１１及び太陽電池パネル１２を収容し、これらを保護する筐体１３を備える。筐体１３は、少なくとも歩行者、自転車等の重量に耐えることが要求される。筐体１３は、開口部を有する箱型の本体１３ａと、本体１３ａの開口部を閉じるカバーパネル１３ｂとで構成されている。太陽電池内蔵表示装置１０は、本体１３ａが地中に埋められ、カバーパネル１３ｂの前面（外部から外光が入射する面）が歩道１００の地面と略同じ高さとなるように設置される。
【００１７】
カバーパネル１３ｂは、太陽光を透過する透明なパネルであって、例えば波長３８０ｎｍ〜１２００ｎｍの全範囲に亘る光透過率（以下、「可視近赤外光透過率」という）が８５％以上である。カバーパネル１３ｂは、可視光波長３８０ｎｍ〜８００ｎｍの全範囲に亘る光透過率（以下、「可視光透過率」という）が９０％以上であることが好ましい。好適なカバーパネル１３ｂとしては、ガラス製パネル、アクリル樹脂等の樹脂製パネルが例示できる。カバーパネル１３ｂの可視近赤外光透過率及び可視光透過率は、分光光度計を用いて測定することができる（表示パネル１１等についても同様）。
【００１８】
太陽電池内蔵表示装置１０では、カバーパネル１３ｂの背面上に表示パネル１１及び太陽電池パネル１２が順に積層されている。カバーパネル１３ｂと表示パネル１１は、互いに接触していてもよく、隙間をあけて配置されていてもよい。表示パネル１１は、カバーパネル１３ｂの背面に透明な接着剤を用いて接合されていてもよい。カバーパネル１３ｂを用いず、表示パネル１１の基板２２（図４参照）をカバーパネルとして利用する構造としてもよい。表示パネル１１及び太陽電池パネル１２の面積はカバーパネル１３ｂの面積よりも小さく、表示パネル１１及び太陽電池パネル１２の外周はカバーパネル１３ｂの外周に囲まれる。太陽電池内蔵表示装置１０は、表示パネル１１の側面と筐体１３の本体１３ａとの間に光源１５の設置スペースを有する。カバーパネル１３ｂの端縁部には、光源１５を隠蔽するための遮光領域を設けることが好ましい。或いは、光源１５とカバーパネル１３ｂの間に遮光カバーを設けてもよい。
【００１９】
太陽電池内蔵表示装置１０は、太陽電池パネル１２で発電された電力を蓄電し、表示パネル１１に当該電力を供給するための二次電池１４を備える。また、太陽電池内蔵表示装置１０は、表示パネル１１に対してパネル側面から照明光を照射する光源１５を備える。二次電池１４に充電された電力は光源１５にも供給される。表示パネル１１のＯＮ／ＯＦＦ操作、表示内容の切り替え、二次電池１４の充放電制御、光源１５のＯＮ／ＯＦＦ操作などは、制御部１６によって制御される。
【００２０】
二次電池１４は、太陽電池パネル１２で発電された電力を充電し、表示パネル１１等の負荷に対して電力を供給する。二次電池１４には、従来公知の電池、例えばニッケル水素電池、リチウムイオン電池などを用いることができる。二次電池１４は制御部１６の電源としても機能する。太陽電池パネル１２で発電した電力を全て二次電池１４に一旦充電し、二次電池１４を介して表示パネル１１等に電力を供給する構成としてもよい。
【００２１】
光源１５は、夜間、雨天時等に表示パネル１１に対して照明光を照射する。光源１５は、表示パネル１１の側面近傍に配置され、パネル側面から照明光を導入する。光源１５には、従来公知の光源、例えばＬＥＤランプなどを適用することができる。光源１５から照射される照明光は、白色光に限定されず、赤、青、緑等の有色光であってもよい。この場合、表示パネル１１に表示される像を照明光に対応する色にすることができる。
【００２２】
図３は、太陽電池内蔵表示装置１０の電気回路の構成図である。
太陽電池内蔵表示装置１０は、太陽電池パネル１２で発電された直流電力を用いて表示パネル１１を駆動する表示駆動回路１７と、光源１５を駆動する光源駆動回路１８とを備える。太陽電池内蔵表示装置１０では、太陽電池パネル１２で発電された電力が表示駆動回路１７を介して表示パネル１１に供給される。表示パネル１１等の負荷電力を上回る電力は、上記のように二次電池１４に充電される。太陽電池パネル１２が発電しない又は発電能力が低下する夜間、雨天時等には、二次電池１４から表示駆動回路１７を介して表示パネル１１に電力が供給される。また、二次電池１４から光源駆動回路１８を介して光源１５に電力が供給される。これらの動作は、制御部１６によって制御される。なお、太陽電池パネル１２、二次電池１４、表示駆動回路１７、及び光源駆動回路１８を接続する配線は、図３に示された構成に限定されず、図示しない回路を含んでいてもよい。
【００２３】
制御部１６は、詳しくは後述するように、信号機と連動して表示パネル１１に表示する像を切り替える。また、制御部１６は、表示パネル１１に入射する外光が所定の閾値未満であるときに光源１５を点灯させることが好適である。タイマーを用いて予め設定された時間に光源１５を点灯させてもよいが、好ましくは周囲の明るさを検出するセンサ、例えばカバーパネル１３ｂの背面上において表示パネル１１等と干渉しない場所に設置された光センサを用いて光源１５を点灯させる。制御部１６は、当該センサの検出値を取得し、所定の閾値と比較して、光源１５のＯＮ／ＯＦＦ操作を実行する。
【００２４】
以下、図４をさらに参照しながら、表示パネル１１及び太陽電池パネル１２について詳説する。図４は、図２に示す表示パネル１１及び太陽電池パネル１２の一部を拡大して示す図である。
【００２５】
表示パネル１１は、上記のように高分子分散型液晶層２０を含む液晶パネルである。表示パネル１１の厚みは特に限定されないが、好ましくは０．５ｍｍ〜５ｍｍである。高分子分散型液晶層２０は、電圧印加の有無により液晶分子２１の配向状態が、入射光を散乱させる散乱状態と入射光を透過する透明状態との間で変化する。表示パネル１１は、液晶分子２１がランダムな方向を向き入射光を散乱する散乱状態において文字、図形等の像が表示されるように構成されている。高分子分散型液晶層２０を用いた表示パネル１１は、入射光の損失を大きくする偏光板等が不要であり、無表示状態における太陽光の透過率が高い。表示パネル１１の可視近赤外光透過率は、例えば８０％以上である。これにより、太陽電池パネル１２を表示パネル１１の背面側に重ねて配置した場合においても良好な発電効率を確保できる。
【００２６】
表示パネル１１は、高分子分散型液晶層２０を挟持する基板２２，２３を有する。高分子分散型液晶層２０は、例えばポリマーマトリックス中に液晶分子２１をマイクロカプセル化して保持した構造を有する。或いは、網目状に形成されたポリマーネットワークの隙間に液晶分子２１が分散保持された構造を有する。基板２２，２３は、太陽光を透過する透明な基板であって、可視近赤外光透過率は８５％以上であることが好ましい。好適な基板２２，２３としては、ガラス基板、アクリル樹脂等の樹脂基板、ポリエステル樹脂等の樹脂フィルムが例示でき、同一の基板を用いることができる。基板２２，２３の高分子分散型液晶層２０側に向いた面には、それぞれ透明導電層２４，２５が形成されている。
【００２７】
透明導電層２４，２５は、例えば太陽電池パネル１２の後述する透明導電層と同様の材料から構成され、所望の文字、記号、図形等が表示可能となるようにパターニングされている。表示パネル１１では、パターニングされた透明導電層２４，２５の一部の領域に電圧を印加することで、高分子分散型液晶層２０の一部において液晶分子２１の配向状態が変化し、文字、記号、図形等の像が表示される。高分子分散型液晶層２０には、電圧の印加により液晶分子２１の方向が揃い入射光を透過するノーマル型、又は電圧の印加により液晶分子がランダムな方向を向き入射光を散乱するリバース型がある。消費電力低減等の観点から、好ましくはリバース型が採用される。以下、高分子分散型液晶層２０をリバース型として説明する。
【００２８】
表示パネル１１に表示される文字、記号、図形等の像は、少なくとも像の表示に太陽光を利用する昼間において白色であることが好ましい。白色表示であればカラーフィルタが不要であるから、入射光のロスを抑えることができる。像の表示に光源１５の光を利用する夜間等においては、光源１５を適宜変更することにより、赤、青、緑等の有色表示とすることができる。
【００２９】
表示パネル１１の表示内容は、上記のように制御部１６によって信号機と連動して切り替えられる。制御部１６は、例えば信号機が青信号であるときに、表示パネル１１の透明導電層２４，２５に電圧を印加して「ＷＡＬＫ」の文字を表示させる。具体的には、パターニングされた透明導電層２４，２５のうち「ＷＡＬＫ」の文字に対応する部分に電圧を印加する。信号機が赤信号であるときは、パターニングされた透明導電層２４，２５のうち「ＳＴＯＰ」の文字に対応する部分に電圧を印加して「ＳＴＯＰ」の文字を表示させる。図１に示す例では、表示パネル１１の半分に「ＷＡＬＫ」の文字を表示し、残り半分に「ＳＴＯＰ」の文字を表示させているが、表示パネル１１の全体にこれらの文字を表示してもよい。表示パネル１１により表示する像の種類が少ない場合は、像に対応する部分のみに高分子分散型液晶層２０及び透明導電層２４，２５を設けてもよく、また像に対応する形状の表示パネル１１を用いることもできる。
【００３０】
太陽電池パネル１２は、複数の太陽電池３０を有する。太陽電池パネル１２の厚みは特に限定されないが、好ましくは２ｍｍ〜５ｍｍである。太陽電池パネル１２は、さらに、太陽電池３０の一方の面側に配置された第１保護部材３１と、太陽電池３０の他方の面側に配置された第２保護部材３２とを有する。各保護部材の間には、太陽電池３０を封止するための封止材３３が充填されている。太陽電池パネル１２は、太陽電池３０のストリングが各保護部材により挟まれた板状体である。複数の太陽電池３０は同一平面上に配置されており、隣り合う太陽電池３０同士が図示しない配線材によって直列に接続されて太陽電池３０のストリングが形成されている。なお、本実施形態では、太陽電池パネル１２は複数の太陽電池３０を有する構成としたが、１枚の太陽電池３０を有する太陽電池パネルを用いてもよい。
【００３１】
太陽電池パネル１２は、上記のように表示パネル１１の背面側に重ねて配置され、表示パネル１１を透過した外光を利用して発電する。表示パネル１１は無表示状態において太陽光の透過率が高いため、太陽電池パネル１２には多くの太陽光が入射する。なお、表示パネル１１の表示状態においても、像が表示されていない部分は太陽光を透過し、また液晶分子２１により散乱した太陽光の一部も太陽電池パネル１２に入射する。表示パネル１１と太陽電池パネル１２は、装置の薄型化等の観点から互いに接触していることが好ましい。太陽電池パネル１２は、表示パネル１１の背面に透明な接着剤を用いて接合されていてもよい。表示パネル１１の基板２３と太陽電池パネル１２の第１保護部材３１の代わりに、両者を兼用する１つの部材を設けることもできる。
【００３２】
太陽電池パネル１２は、表示パネル１１の背面全域を覆っている。太陽電池パネル１２は、少なくとも表示パネル１１と同じ寸法（面積）であることが好ましく、表示パネル１１より大面積であってもよい。太陽電池パネル１２の面積を大きくすることで、発電量を増やすことが可能となる。また、黒色系又は濃紺色系である太陽電池３０が表示パネル１１の背面に存在すると、表示パネル１１の像と背景とのコントラストが大きく良好な視認性が得られる。表示パネル１１と太陽電池パネル１２は、装置の小型化等の観点から、互いに重なる面積をできるだけ大きくし、表示パネル１１が太陽電池パネル１２よりも小面積である場合は太陽電池パネル１２上から食み出ないように表示パネル１１を積層配置することが好適である。
【００３３】
太陽電池３０は、受光によりキャリアを生成する光電変換部を備える。太陽電池３０は、光電変換部で生成したキャリアを収集する電極として、光電変換部の受光面上に形成される受光面電極と、裏面上に形成される裏面電極とを有する。太陽電池３０の電極は、例えば後述する透明導電層上に形成され、細線状のフィンガー電極と、フィンガー電極からキャリアを収集するバスバー電極とを含む。但し、太陽電池３０の構造はこれに限定されず、例えば光電変換部の裏面上のみに電極が形成された構造であってもよい。
【００３４】
光電変換部は、例えば結晶系シリコン（ｃ‐Ｓｉ）、ガリウム砒素（ＧａＡｓ）、インジウム燐（ＩｎＰ）等の半導体基板と、当該基板上に形成された非晶質半導体層と、当該非晶質半導体層上に形成された透明導電層とを有する。非晶質半導体層を構成する非晶質半導体としては、ｉ型非晶質シリコン、ｎ型非晶質シリコン、ｐ型非晶質シリコン等が例示できる。透明導電層は、酸化インジウム（Ｉｎ2Ｏ3）、酸化亜鉛（ＺｎＯ）等の金属酸化物に、錫（Ｓｎ）、アンチモン（Ｓｂ）等をドープした透明導電性酸化物から構成されることが好ましい。光電変換部は、例えばｎ型単結晶シリコン基板の受光面上にｉ型非晶質シリコン層、ｐ型非晶質シリコン層、透明導電層が順に形成され、基板の裏面上にｉ型非晶質シリコン層、ｎ型非晶質シリコン層、透明導電層が順に形成された構造を有する。或いは、ｐ型非晶質シリコン層がｎ型単結晶シリコン基板の裏面側に、ｎ型非晶質シリコン層が基板の受光面側にそれぞれ形成されていてもよい。但し、光電変換部の構造はこれに限定されず、上記の半導体基板に不純物を拡散させてｐｎ接合を形成した構成や、半導体基板を用いずにアモルファスシリコンなどの半導体薄膜のみでｐｎ接合（ｐｉｎ接合）を形成した構成であってもよい。
【００３５】
第１保護部材３１には、太陽光等の入射光を透過する透明な部材が用いられる。第１保護部材３１の可視近赤外光透過率は８５％以上であることが好ましい。好適な第１保護部材３１としては、基板２２，２３と同様に、ガラス基板、アクリル樹脂等の樹脂基板、ポリエステル樹脂等の樹脂フィルムが例示できる。太陽電池パネル１２は、第１保護部材３１を表示パネル１１側に向けた状態で配置されている。
【００３６】
第２保護部材３２には、第１保護部材３１と同じ透明な部材を用いてもよいが、本実施形態では第２保護部材３２側からの受光を想定していないので不透明な部材を用いてもよい。表示パネル１１に表示される像の視認性を高めるために、第２保護部材３２は、可視光波長の全範囲に亘る光吸収率（以下、「可視光吸収率」という）が５０％以上であることが好ましい。より好ましくは６０％以上、特に好ましくは７０％以上である。第２保護部材３２の可視光吸収率Ａ（％）は、第２保護部材３２の光透過率Ｔ（％）及び光反射率Ｒ（％）を測定し、Ａ＝１００−Ｔ−Ｒの式により算出できる。
【００３７】
可視光吸収率が高い第２保護部材３２は、太陽電池３０の色と同様の黒色、濃紺色、又はこれに近い色を有する。かかる第２保護部材３２を用いることで、例えば太陽電池パネル１２の全体が黒色系となり、表示パネル１１に表示される像の視認性がさらに向上する。第２保護部材３２は、例えば樹脂皮膜中に、カーボンブラック、アニリンブラック、チタンブラック、非磁性フェライト、マグネタイト等の黒色顔料が分散した構造を有する。第２保護部材３２の可視光吸収率を高くすることで、表示パネル１１の裏面は一様に黒色、濃紺色、又はこれに近い色となる。したがって、入射光を散乱させる散乱状態となった高分子分散型液晶層２０が太陽電池３０と重なっているか否かに関わらず、表示パネル１１の像と背景とのコントラストが大きく良好な視認性が得られる。
【００３８】
上記構成を備えた太陽電池内蔵表示装置１０によれば、表示パネル１１と太陽電池パネル１２が重ねて配置されるため装置の小型化が容易である。太陽電池内蔵表示装置１０は、２枚のパネルを重ねた構造であるにも関わらず、表示パネル１１に表示される像の視認性が良好であり、且つ太陽電池３０の発電効率が高いという優れた性能を有する。
【００３９】
上記実施形態では、太陽電池パネル１２の一方の面から外光が入射する形態について説明したが、図５に示すように、太陽電池パネル５２の太陽電池３０に対してパネルの両面から外光が入射するように構成された形態であってもよい。図５に示す太陽電池内蔵表示装置５０は、窓ガラス１０１に設置されており、２枚の透明なガラス板によって挟持されている。太陽電池内蔵表示装置５０は、太陽電池パネル５２の各面上に配置された表示パネル５１ａ，５１ｂを備え、太陽電池パネル５２の両側に表示機能を有する。なお、表示パネル５１ａ，５１ｂは、いずれも高分子分散型液晶層２０を含み、表示パネル１１と同じ構造を有する。太陽電池パネル５２は、後述するように第２保護部材が透明である点を除いて太陽電池パネル１２と同じ構造を有する。
【００４０】
太陽電池パネル５２は、太陽電池３０の一方の面側に配置され、入射光を透過させる透明な第１保護部材と、太陽電池３０の他方の面側に配置され、入射光を透過させる透明な第２保護部材とを有する。窓ガラス１０１及び各保護部材は透明であり、表示パネル５１ａ，５１ｂは外光の透過率が高いことから、太陽電池パネル５２の太陽電池３０は、パネルの両面から外光を受光可能である。各保護部材の可視近赤外光透過率は８５％以上であることが好ましい。
【００４１】
図５では、二次電池、光源等を図示していないが、太陽電池内蔵表示装置５０は上記実施形態と同様にこれらを備えることが好ましい。なお、太陽電池内蔵表示装置５０のような両面受光型において、太陽電池パネルの一方の面側のみに表示機能を付与（表示パネルを配置）してもよい。
【符号の説明】
【００４２】
１０，５０  太陽電池内蔵表示装置、１１，５１ａ，５１ｂ  表示パネル、１２，５２  太陽電池パネル、１３  筐体、１３ａ  本体、１３ｂ  カバーパネル、１４  二次電池、１５  光源、１６  制御部、１７  表示駆動回路、１８  光源駆動回路、２０  高分子分散型液晶層、２１  液晶分子、２２，２３  基板、２４，２５  透明導電層、３０  太陽電池、３１  第１保護部材、３２  第２保護部材、３３  封止材、１００  歩道、１０１  窓ガラス
【図１】
2016142827.tif 000003
【図２】
2016142827.tif 000004
【図３】
2016142827.tif 000005
【図４】
2016142827.tif 000006
【図５】
2016142827.tif 000007